(57)【要約】【課題】プッシュダウン現象の影響を低減した電圧を電気光学素子に印加すること。【解決手段】電気光学装置は、データ信号に応じた電荷を第１電極および第２電極の間に保持する保持容量と、走査線に電気的に接続されたゲート、データ線に伝記的に接続されたソース、および保持容量の第１電極に電気的に接続されたドレインを有する第１トランジスターと、第１信号線に電気的に接続されたゲート、保持容量の第１電極に接続されたソース、および画素電極に電気的に接続されたドレインを有する第２トランジスターと、第２信号線に電気的に接続されたゲート、共通電位線に電気的に接続されたソース、および保持容量の第２電極に電気的に接続されたドレインを有する第３トランジスターとを有する。【選択図】図４
2012058335.tif 000002
【特許請求の範囲】
【請求項１】
データ信号を供給するデータ線と、
走査信号を供給する走査線と、
画素電極と、
前記画素電極への前記データ信号の供給タイミングを制御するための第１信号を供給する第１信号線と、
前記データ信号を補正するタイミングを制御するための第２信号を供給する第２信号線と、
共通電位を与えるための共通電位線と、
前記データ信号に応じた電荷を第１電極および第２電極の間に保持する保持容量と、
前記走査線に電気的に接続されたゲート、前記データ線に電気的に接続されたソース、および前記保持容量の前記第１電極に電気的に接続されたドレインを有する第１トランジスターと、
前記第１信号線に電気的に接続されたゲート、前記保持容量の前記第１電極に接続されたソース、および前記画素電極に電気的に接続されたドレインを有する第２トランジスターと、
前記第２信号線に電気的に接続されたゲート、前記共通電位線に電気的に接続されたソース、および前記保持容量の前記第２電極に電気的に接続されたドレインを有する第３トランジスターと
を有する電気光学装置。
【請求項２】
前記第１トランジスターがオン状態に切り替わった後、かつ、前記第１トランジスターがオン状態から次にオフ状態に切り替わる前に、前記第３トランジスターはオン状態からオフ状態に切り替わる
ことを特徴とする請求項１に記載の電気光学装置。
【請求項３】
前記第２トランジスターがオン状態であるときに、前記第３トランジスターがオフ状態からオン状態に切り替わる
ことを特徴とする請求項２に記載の電気光学装置。
【請求項４】
第１ブロックおよび第２ブロックに区分された複数の画素がそれぞれ前記第２トランジスターを有してなり、
前記第１ブロックの前記第２トランジスターがオン状態になるタイミングと、前記第２ブロックの前記第２トランジスターがオン状態になるタイミングとが異なっている
ことを特徴とする請求項１から３のいずれか一項に記載の電気光学装置。
【請求項５】
１単位の前記データ信号の書き込みに際し、前記第１トランジスターがオン状態からオフ状態に切り替わる時および前記第２トランジスターがオフ状態からオン状態に切り替わる時を含む期間において、前記第３トランジスターは継続してオフ状態である
ことを特徴とする請求項２に記載の電気光学装置。
【請求項６】
請求項１から５のいずれか一項に記載の電気光学装置を有する電子機器。
【発明の詳細な説明】
【技術分野】
【０００１】
本発明は、電気光学装置および電子機器に関する。
【背景技術】
【０００２】
特許文献１は、いわゆる面順次駆動を行う液晶表示装置を開示している。特許文献２は、面順次駆動に関し、前後のフィールドのデータの影響を低減するため、データを補正する技術を開示している。特許文献３は、液晶の焼き付きを防止するため、正極性電圧と負極性電圧とを交互に印加する技術を開示している。より具体的には、特許文献１の液晶表示装置は、各画素について、保持容量（Ｃｓ）と、データを保持容量に書き込むための第１トランジスター（Ｔｒ１）と、保持容量から液晶にデータを書き込むための第２トランジスター（Ｔｒ２）とを有する（図１参照）。保持容量へのデータの書き込みはいわゆる線順次により行われ、全画素の保持容量に書き込みが終わった後で、一括パルスにより第２トランジスターがオンされ、全画素の液晶に一斉にデータが書き込まれる。
【先行技術文献】
【特許文献】
【０００３】
【特許文献１】特開２００１−７５５３４号公報
【特許文献２】特開２００１−２５５８５８号公報
【特許文献３】特開２００９−２２３３２２号公報
【発明の開示】
【発明が解決しようとする課題】
【０００４】
例えば特許文献１の液晶装置においては、第２トランジスターがオフ状態になったときに、第２トランジスターのソースの電圧が、ゲート−ソース間の容量カップリングによって降下する、いわゆるプッシュダウン現象が起こる場合がある。
本発明は、プッシュダウン現象の影響を低減した電圧を電気光学素子に印加する技術を提供する。
【課題を解決するための手段】
【０００５】
本発明は、データ信号を供給するデータ線と、走査信号を供給する走査線と、画素電極と、前記画素電極への前記データ信号の供給タイミングを制御するための第１信号を供給する第１信号線と、前記データ信号を補正するタイミングを制御するための第２信号を供給する第２信号線と、共通電位を与えるための共通電位線と、前記データ信号に応じた電荷を第１電極および第２電極の間に保持する保持容量と、前記走査線に電気的に接続されたゲート、前記データ線に電気的に接続されたソース、および前記保持容量の前記第１電極に電気的に接続されたドレインを有する第１トランジスターと、前記第１信号線に電気的に接続されたゲート、前記保持容量の前記第１電極に接続されたソース、および前記画素電極に電気的に接続されたドレインを有する第２トランジスターと、前記第２信号線に電気的に接続されたゲート、前記共通電位線に電気的に接続されたソース、および前記保持容量の前記第２電極に電気的に接続されたドレインを有する第３トランジスターとを有する電気光学装置を提供する。
この電気光学装置によれば、プッシュダウン現象の影響を低減した電圧を電気光学素子に印加することができる。
【０００６】
好ましい態様において、前記第１トランジスターがオン状態に切り替わった後、かつ、前記第１トランジスターがオン状態から次にオフ状態に切り替わる前に、前記第３トランジスターはオン状態からオフ状態に切り替わってもよい。
この電気光学装置によれば、プッシュダウン現象による電圧変動の影響を低減することができる。
【０００７】
別の好ましい態様において、前記第２トランジスターがオン状態であるときに、前記第３トランジスターがオフ状態からオン状態に切り替わってもよい。
この電気光学装置によれば、第２トランジスターがオン状態に切り替わったときの電荷再配分による電圧変動の影響を低減することができる。
【０００８】
さらに別の好ましい態様において、第１ブロックおよび第２ブロックに区分された複数の画素がそれぞれ前記第２トランジスターを有してなり、前記第１ブロックの前記第２トランジスターがオン状態になるタイミングと、前記第２ブロックの前記第２トランジスターがオン状態になるタイミングとが異なっていてもよい。
この電気光学装置によれば、共通電位に対するノイズを低減することができる。
【０００９】
さらに別の好ましい態様において、１単位の前記データ信号の書き込みに際し、前記第１トランジスターがオン状態からオフ状態に切り替わる時および前記第２トランジスターがオフ状態からオン状態に切り替わる時を含む期間において、前記第３トランジスターは継続してオフ状態であってもよい。
この電気光学装置によれば、第３トランジスターの１回のオフオンで、プッシュダウン効果および電荷再配分の影響を蓄積することができる。
【００１０】
また、本発明は、上記いずれかの電気光学装置を有する電子機器を提供する。
この電子機器によれば、プッシュダウン現象の影響を低減した電圧を電気光学素子に印加することができる。
【図面の簡単な説明】
【００１１】
【図１】電気光学装置１の構成を示すブロック図である。
【図２】液晶パネル１０の構成を示す図である。
【図３】液晶パネル１０の動作の概要を示すタイミングチャートである。
【図４】画素回路１１の構成を示す図である。
【図５】画素回路１１の動作を示すタイミングチャートである。
【図６】変形例に係る画素回路１１の構成を示す図である。
【図７】変形例に係る画素回路１１の動作を示すタイミングチャートである。
【図８】変形例に係るプロジェクター２１００を例示する図である。
【発明を実施するための形態】
【００１２】
図１は、一実施形態に係る電気光学装置１の構成を示すブロック図である。この例で、電気光学装置１は、外部から入力される映像信号Ｖｉｄに応じた画像を表示する液晶表示装置である。電気光学装置１は、液晶パネル１０と、制御回路２０とを有する。
【００１３】
制御回路２０は、液晶パネル１０を制御する回路である。この例で、制御回路２０は、映像信号Ｖｉｄおよび同期信号Ｓｙｎｃに基づいて、データ信号Ｖｘ、制御信号Ｘｃｔｒ、および制御信号Ｙｃｔｒを出力する。データ信号Ｖｘは、所定範囲内の階調値に変換された画像（映像）データを示す。制御信号Ｘｃｔｒおよび制御信号Ｙｃｔｒは、それぞれ、液晶パネル１０においてデータ線および走査線の駆動制御に用いられる。さらに、制御回路２０は、液晶パネル１０に共通電位ＬＣＣＯＭを提供する。
【００１４】
図２は、液晶パネル１０の構成を示す図である。液晶パネル１０は、画素回路１１と、走査線駆動回路１２と、データ線書き込み回路１３と、面順次選択回路１４と、ＶＣＯＭ供給回路１５と、ｍ本の走査線ＧＬと、ｎ本のデータ線ＤＬと、共通電位線ＶＣＯＭと、ｍ本の信号線ＳＡＬＬと、ｍ本の信号線ＳＨＺとを有する。図２において、ｍ本の走査線ＧＬの各々は、ＧＬ１、ＧＬ２、ＧＬ３、…、ＧＬｍというように添字を用いて区別される。他の信号線についても同様である。なお、以下において、信号線とその信号線により伝達される信号とは、共通の符号を用いて説明される。
【００１５】
画素回路１１は、ｍ行ｎ列のマトリクス状に配置されている。ｍおよびｎは、ともに２以上の自然数である。画素回路１１は、液晶を含む画素に、データ信号Ｖｘが示すデータを書き込む（すなわちデータに応じた電圧を印加する）ための回路である。液晶パネル１０は、素子基板と、対向基板と、液晶層とを有する（いずれも図示略）。素子基板と対向基板とは、一定の間隙を保って貼り合わせられている。素子基板のうち対向基板と対向する面には、走査線ＧＬ、データ線ＤＬ、共通電位線ＶＣＯＭ、信号線ＳＡＬＬ、信号線ＳＨＺ、および画素電極が設けられている。図２において、走査線ＧＬが延びる方向をｘ軸と、データ線ＤＬが延びる方向をｙ軸と定義する。この例で、ｘ軸とｙ軸は直交している。ｘ軸およびｙ軸に直交する方向から見ると、走査線ＧＬとデータ線ＤＬとは、交差している。この交差に対応して画素回路１１が設けられている。画素電極は矩形形状を有し、透明性を有する材料で形成されている。対向基板には、対向基板電極が設けられている。液晶層は、画素電極と対向基板電極とで挟まれている。液晶層には、画素電極と対向基板電極との電位差に応じた電圧が印加される。
【００１６】
図３は、液晶パネル１０の動作の概要を示すタイミングチャートである。この例で、液晶パネル１０は面順次駆動が可能である。データは、１行ずつ順番に保持容量に書き込まれる。書き込みを行う行は、走査信号ＧＬにより指定される。走査信号ＧＬがＨ（ハイ）レベルになっている期間を「１水平走査期間」という。各水平走査期間において、データ線書き込み回路１３は、データ信号Ｖｘから、データＤｋ（１≦ｋ≦ｎ）を生成する。例えば、第１行の走査線ＧＬが選択されているとき、データ線書き込み回路１３は、第１行のデータＤｋを生成する。データ線書き込み回路１３は、データＤｋに応じた信号を、データ線ＤＬに供給する。こうして、第１行の画素の保持容量にデータが書き込まれる。ｍ行すべての保持容量にデータが書き込まれた後で、信号ＳＡＬＬがＬ（ロー）レベルからＨレベルに変化すると、保持容量から各画素の液晶にデータが一斉に書き込まれる。
【００１７】
第１行から第ｍ行までの行を選択するのに要する時間を「フィールド」という。フィールドは、１単位のデータの書き込みに用いられる時間の一例である。フィールドには、＋フィールド（第１フィールドの一例）と−フィールド（第２フィールドの一例）とがある。＋フィールドは、対向基板電極を基準として、液晶に正極性の電圧を印加するフィールドである。−フィールドは、液晶に負極性の電圧を印加するフィールドである。この例では、保持容量へのデータの書き込みと、保持容量から液晶へのデータの書き込みとは異なるフィールドで行われる。例えば、＋フィールドにおいて保持容量に書き込まれたデータ（−フィールドで表示すべきデータ）は、次の−フィールドにおいて保持容量から液晶に書き込まれる。画素回路１１の詳細は後述する。
【００１８】
再び図２を参照する。走査線ＧＬは、保持容量へのデータの書き込みを行う行を指定するための信号を供給するための信号線である。走査線ＧＬは、データが書き込まれる電気光学素子を選択するための走査信号を供給する走査線の一例である。信号線ＳＨＺは、データの書き込み時に、保持容量と共通電位との短絡および開放を切り替えるための信号線である。信号線ＳＨＺは、データ信号を補正するタイミング（またはデータを補正するタイミング）を制御するための第２信号を供給する第２信号線の一例である。走査線駆動回路１２は、クロック信号に基づいて、走査線を順次選択する信号を生成する。走査線の選択は、１行目、２行目、・・・、ｎ行目の順で行われる。走査線駆動回路１２は、生成した信号を走査線ＧＬに供給する。さらに、走査線駆動回路１２は、クロック信号に基づいて、保持容量と共通電位との短絡および開放を切り替えるための信号を生成する。走査線駆動回路１２は、生成した信号を信号線ＳＨＺに供給する。
【００１９】
データ線ＤＬは、データを伝送するためのデータ線、すなわち、データ信号Ｖｘに応じた電圧を画素に供給するための信号線である。データ線ＤＬは、電気光学素子に書き込まれるデータを示すデータ信号を供給するデータ線の一例である。データ線書き込み回路１３は、画像データＶｘおよびクロック信号に基づいて、階調値のデータＤｋを示すデータ信号をデータ線ＤＬに供給する。
【００２０】
信号線ＳＡＬＬは、保持容量から液晶へのデータ信号の供給を制御するための信号線である。信号線ＳＡＬＬは、電気光学素子へのデータ信号の供給タイミングを制御するための信号を供給する第１信号線の一例である。面順次選択回路１４は、クロック信号に基づいて、データの液晶への書き込みを制御するための信号を信号線ＳＡＬＬに供給する。
【００２１】
共通電位線ＶＣＯＭは、共通電位（基準電圧）を与えるための電圧線である。この例で、共通電位線ＶＣＯＭは、画素領域の外で対向基板電圧線ＬＣＣＯＭと接続されている。ＶＣＯＭ供給回路１５は、共通電位を共通電位線ＶＣＯＭに供給する。
【００２２】
図４は、画素回路１１の構成を示す図である。画素回路１１は、電気光学素子への電圧の印加を制御する回路の一例である。画素回路１１は、液晶素子ＬＣと、トランジスター１１１と、トランジスター１１３と、トランジスター１１５と、保持容量Ｃとを有する。この例で、トランジスター１１１、トランジスター１１３、およびトランジスター１１５はＦＥＴ（Field Effect Transistor：電界効果トランジスター）の一種であるＴＦＴ（Thin Film Transistor：薄膜トランジスター）であり、ソース、ドレイン、およびゲート端子を有する。この例で、トランジスター１１１、トランジスター１１３、およびトランジスター１１５はｎチャネルのＦＥＴである。
【００２３】
トランジスター１１１（第１トランジスターの一例）は、走査信号ＧＬに応じて、端子Ｐｉｘ（保持容量Ｃの第１電極）への電圧の書き込みを制御するトランジスターである。トランジスター１１１において、ゲートは走査線ＧＬに接続され、ソースはデータ線ＤＬに接続され、ドレインは端子Ｐｉｘに接続されている。
【００２４】
トランジスター１１３（第２トランジスターの一例）は、書き込み信号ＳＡＬＬに応じて、保持容量Ｃに書き込まれているデータの液晶素子ＬＣへの書き込み（転送）を制御するトランジスターである。トランジスター１１３において、ゲートは信号線ＳＡＬＬに接続され、ソースは端子Ｐｉｘに接続され、ドレインは液晶素子ＬＣに接続されている。
【００２５】
トランジスター１１５（第３トランジスターの一例）は、信号ＳＨＺに応じて、共通電位線ＶＣＯＭと保持容量Ｃの第２電極（端子ＰｉｘＨＺ）との短絡および開放を切り替えるトランジスターである。トランジスター１１５において、ゲートは信号線ＳＨＺに接続され、ソースは共通電位線ＶＣＯＭに接続され、ドレインは端子ＰｉｘＨＺに接続されている。
【００２６】
保持容量Ｃは、データ信号ＤＬにより書き込まれたデータに応じた電荷を保持する容量である。保持容量Ｃにおいて、第１電極（端子Ｐｉｘ）はトランジスター１１１のドレインおよびトランジスター１１３のソースに接続され、第２電極（端子ＰｉｘＨＺ）は、トランジスター１１５のドレインに接続されている。
【００２７】
液晶素子ＬＣは、一端（端子Ｌｉｑ、画素電極）と他端（端子ＬＣＣＯＭ、対向基板電極）の間に印加される電圧に応じた階調（反射率または透過率）を示す電気光学素子の一例である。この例で、端子ＬＣＣＯＭには、一定の電圧ＶＣが印加される。液晶素子ＬＣにおいて、端子Ｌｉｑはトランジスター１１３のドレインに接続され、端子ＬＣＣＯＭは対向基板電圧線ＬＣＣＯＭに接続されている。液晶素子ＬＣの階調は、対向基板電圧ＬＣＣＯＭに対する端子Ｐｉｘの電圧によって変化する。
【００２８】
トランジスター１１５のゲート信号（信号ＳＨＺ）がオン状態（選択状態）の場合、保持容量Ｃの端子ＰｉｘＨＺと共通電位線ＶＣＯＭとが短絡して、端子ＰｉｘＨＺの電圧は電圧ＶＣＯＭと等しくなる。トランジスター１１５のゲート信号（信号ＳＨＺ）がオフ状態（非選択状態）の場合、保持容量Ｃの端子ＰｉｘＨＺと共通電位線ＶＣＯＭとが開放され、保持容量Ｃの端子ＰｉｘＨＺは高インピーダンス状態（フローティング状態）になる。
【００２９】
図５は、画素回路１１の動作を示すタイミングチャートである。画素回路１１においては、液晶素子ＬＣの劣化を低減するため、＋フィールドと−フィールドとが交互に繰り返される。図５は、ある単一の画素に着目した場合のタイミングチャートを示している。対向基板電圧ＬＣＣＯＭおよび共通電位ＶＣＯＭは常に一定である。この例で、さらに、対基板電圧ＬＣＣＯＭと共通電位ＶＣＯＭとは等しい。
【００３０】
図５において、フィールドは、信号ＳＡＬＬがオフ状態からオン状態に切り替わってから、次に信号ＳＡＬＬがオフ状態からオン状態に切り替わるまでの期間と定義される。時刻ｔ１０において、信号ＳＡＬＬがオン状態に変化している。ここがフィールドの始期である。この例では、時刻ｔ１０から始まるフィールドは−フィールドである。なお、フィールドの始期および終期の定義はこれに限定されるものではない。
【００３１】
時刻ｔ１０において、走査信号ＧＬおよび信号ＳＨＺはともにオフ状態である。すなわち、時刻ｔ１０の直前において、端子Ｐｉｘおよび端子ＰｉｘＨＺはともに高インピーダンス状態である。時刻ｔ１０において、信号ＳＡＬＬがオン状態に変化し、端子Ｐｉｘは端子Ｌｉｑと短絡される。これにより、端子Ｐｉｘに保持されている電荷が端子Ｌｉｑに転送される。時刻ｔ１１において、信号ＳＨＺがオフ状態からオン状態に変化し、保持容量Ｃの端子ＰｉｘＨＺと共通電位線ＶＣＯＭとが短絡される。時刻ｔ１２において、信号ＳＡＬＬがオフ状態に変化し、端子Ｐｉｘは端子Ｌｉｑと開放される。なお、時刻ｔ１０からｔ１２までの動作は以上のとおり簡単な説明に留める。
【００３２】
時刻ｔ１３において、データ線ＤＬには、次のフィールド（時刻ｔ２０から始まる＋フィールド）で表示されるデータを示すデータ信号が供給される。次のフィールドは＋フィールドであるから、このときのデータ信号は、共通電位ＶＣＯＭより高い電圧を示す。＋フィールド用のデータを書き込むとき、データ信号の電圧ＶはＶＣＯＭ≦Ｖ≦ＶＨであり、−フィールド用のデータを書き込むとき、データ信号の電圧ＶはＶＬ≦Ｖ≦ＶＣＯＭである。電圧ＶＨは、＋フィールド時の最大階調値に相当する電圧である。電圧ＶＬは、−フィールド時の最大階調値に相当する電圧である。時刻ｔ１３においてトランジスター１１１はオフ状態であるので、この時点では端子Ｐｉｘにデータは書き込まれない。
【００３３】
時刻ｔ１４において、走査信号ＧＬの電圧が共通電位ＶＣＯＭを超える。すなわち、時刻ｔ１４において、走査信号ＧＬはオン状態に変化する。端子Ｐｉｘはデータ線ＤＬと短絡され、端子Ｐｉｘにデータが書き込まれる。このとき端子ＰｉｘＨＺは共通電位線ＶＣＯＭと短絡されているから、保持容量Ｃは、書き込まれた電圧、すなわちデータ信号ＤＬと共通電位ＶＣＯＭとの差に相当する電圧を保持する。その後、時刻ｔ１５において、信号ＳＨＺがオフ状態に変化し、端子ＰｉｘＨＺと共通電位線ＶＣＯＭとは開放される。端子ＰｉｘＨＺは高インピーダンス状態になる。時刻ｔ１６において、走査信号ＧＬがオフ状態に変化し、端子Ｐｉｘとデータ信号線ＤＬとは開放される。このとき、トランジスター１１１におけるプッシュダウン現象により、端子Ｐｉｘの電圧が降下する。この例では、走査信号ＧＬがオン状態からオフ状態に変化する前に端子ＰｉｘＨＺと共通電位線ＶＣＯＭとが開放されて、端子ＰｉｘＨＺが高インピーダンス状態になっている。したがって、時刻ｔ１６において端子Ｐｉｘの電圧が降下すると、端子ＰｉｘＨＺの電圧も一緒に降下する。すなわち、プッシュダウン現象により端子Ｐｉｘの電圧が降下しても、端子Ｐｉｘと端子ＰｉｘＨＺとの間の電圧は、データが書き込まれたときの状態を維持している。時刻ｔ２０において、信号ＳＡＬＬがオン状態に変化し、−フィールドは終了する。
【００３４】
時刻ｔ２０から、次の＋フィールドが開始する。時刻ｔ２０において、書き込み信号ＳＡＬＬがオン状態に変化し、端子Ｌｉｑが端子Ｐｉｘと短絡される。これにより、端子Ｐｉｘに保持されている電荷が端子Ｌｉｑに転送される。このとき、液晶素子ＬＣの容量と端子Ｐｉｘの容量とで電荷再配分が起こり、端子Ｐｉｘの電圧が変化（この例では降下）する。この例では、時刻ｔ２０以前に端子ＰｉｘＨＺと共通電位線ＶＣＯＭとが開放されて、端子ＰｉｘＨＺが高インピーダンス状態になっているので、時刻ｔ２０において端子Ｐｉｘの電圧が変化すると、端子ＰｉｘＨＺの電圧も一緒に変化する。すなわち、端子ＰｉｘＨＺが高インピーダンス状態になってからの電圧変化（時刻ｔ１６および時刻ｔ２０の変化）は、端子ＰｉｘＨＺに積算されている。その後、時刻ｔ２１において、信号ＳＨＺがオフ状態からオン状態に変化し、保持容量Ｃの端子ＰｉｘＨＺと共通電位線ＶＣＯＭとが短絡される。これにより、信号ＳＨＺがオフ状態になってから（時刻ｔ１５以降）の端子ＰｉｘＨＺの電圧の変化が、保持容量Ｃを介して端子Ｐｉｘに伝達される。この伝達により端子Ｐｉｘの電圧は、データが書き込まれたときの電圧とほぼ等しい電圧まで補正される。ここで、補正の度合いは、保持容量Ｃの値と端子Ｐｉｘの寄生容量等との関係によって決まる。この例で、端子Ｐｉｘの電圧を補正するのに要する時間（端子Ｐｉｘの電圧が安定するまでの時間）は、信号ＳＡＬＬがオン状態にある期間と比べて短い。したがって、信号ＳＡＬＬがオン状態にある期間において、容量Ｃで保持された端子Ｐｉｘの電圧（データが書き込まれたときの電圧とほぼ等しい電圧）が液晶素子ＬＣに印加される。時刻ｔ２２において、信号ＳＡＬＬがオフ状態に変化し、端子Ｐｉｘは端子Ｌｉｑと開放される。
【００３５】
＋フィールドにおいては、引き続き、次の−フィールドで表示するための画像データの書き込みが行われる。時刻ｔ２３において、データ線ＤＬには、次のフィールド（時刻ｔ３０から始まる−フィールド）で表示されるデータを示すデータ信号が供給される。時刻ｔ２４において、走査信号ＧＬ＋がオン状態に変化し、端子Ｐｉｘはデータ信号線ＤＬと短絡される。こうして、データが端子Ｐｉｘに書き込まれる。このとき、トランジスター１１５はオン状態である。すなわち、保持容量Ｃの端子ＰｉｘＨｚの電圧は共通電位ＶＣＯＭと等しい。保持容量Ｃは、書き込まれた電圧、すなわちデータ信号ＤＬと共通電位ＶＣＯＭとの差に相当する電圧を保持する。その後、時刻ｔ２５において、信号ＳＨＺがオフ状態に変化し、端子ＰｉｘＨＺと共通電位線ＶＣＯＭとは開放される。端子ＰｉｘＨＺは高インピーダンス状態になる。時刻ｔ２６において、走査信号ＧＬがオフ状態に変化し、端子Ｐｉｘとデータ信号線ＤＬとは開放される。このとき、トランジスター１１１におけるプッシュダウン現象により、端子Ｐｉｘの電圧が降下する。しかし、この例では、走査信号ＧＬがオン状態からオフ状態に変化する前に端子ＰｉｘＨＺと共通電位線ＶＣＯＭとが開放されて高インピーダンス状態になっており、時刻ｔ２６において端子Ｐｉｘの電圧が降下すると、端子ＰｉｘＨＺの電圧も一緒に降下する。すなわち、プッシュダウン現象により端子Ｐｉｘの電圧が降下しても、端子Ｐｉｘと端子ＰｉｘＨＺとの間の電圧は、データが書き込まれたときの状態を維持している。時刻ｔ３０において、信号ＳＡＬＬがオン状態に変化し、＋フィールドは終了する。
【００３６】
続く−フィールドにおける動作は、先の＋フィールドと同様である。すなわち、時刻３０−ｔ３６における動作は、時刻ｔ２０−ｔ２６における動作と同様である。時刻ｔ４０以降も同様である。なお、図５では単一の画素に着目したタイミングチャートを例示したが、画素回路１１においては、走査線ＧＬは、一行ずつ順番に選択される。すなわち、走査信号ＧＬは、走査線を１本ずつ順番に選択する信号である。
【００３７】
画素回路１１によれば、トランジスター１１１がオフ状態からオン状態に切り替わった後で、トランジスター１１５はオン状態からオフ状態に切り替わり、トランジスター１１１がオン状態からオフ状態に切り替わる時点において、トランジスター１１５はオフ状態である。すなわち、保持容量Ｃにデータを書き込むときには端子ＰｉｘＨＺは基準電圧である共通電位線ＶＣＯＭと短絡され、かつ、トランジスター１１１においてプッシュダウン現象が起こる時点において、端子ＰｉｘＨＺは高インピーダンス状態である。プッシュダウン現象により端子Ｐｉｘの電圧が変化しても、端子ＰｉｘＨＺの電圧も一緒に変化し、保持容量Ｃに保持されている電荷はデータが書き込まれたときの状態をほぼ保っている。端子ＰｉｘＨＺと共通電位線ＶＣＯＭとを開放しない場合と比較すると、画素回路１１は、より正確な電圧を液晶素子ＬＣに印加することができる。このとき、電圧の補正は画素回路１１により行われるから、外部において画素に書き込むデータ自体を補正しておく必要はない。
【００３８】
２次元動画を表示する場合、フレーム周波数として、例えば６０Ｈｚから１２０Ｈｚの範囲の周波数が用いられる。３次元（３Ｄ）動画を表示する場合、左眼用および右眼用の画像をそれぞれ６０Ｈｚから１２０Ｈｚで表示するため、全体としては１２０Ｈｚから２４０Ｈｚの範囲の周波数がフレーム周波数として用いられる。３Ｄ動画の表示方法として、線順次駆動方式が用いられた場合、特に、フレームの境界または＋フィールドと−フィールドとの境界において、映像が重なって見える等、表示品質の低下が生じることがある。画素回路１１は、面順次方式で動作し、線順次方式で動作する場合と比較すると表示品質が向上する。
【００３９】
本発明は上述の実施形態に限定されるものではなく、種々の変形実施が可能である。以下、変形例をいくつか説明する。以下の変形例のうち、２つ以上のものが組み合わせて用いられてもよい。
【００４０】
上述の実施形態では、トランジスター１１１がオフ状態からオン状態に切り替わった後、かつ、トランジスター１１１がオン状態から次にオフ状態に切り替わる前に、トランジスター１１５がオン状態からオフ状態に切り替わる例を説明した。換言すると、トランジスター１１１がオン状態からオフ状態に切り替わるとき、トランジスター１１５がオフ状態である例を説明した。この構成によれば、プッシュダウン現象による電圧変動の影響を低減することができる。しかし、トランジスター１１５がオフ状態に切り替わるタイミングはこれに限定されない。トランジスター１１１がオフ状態からオン状態に切り替わった後、かつ、トランジスター１１１がオン状態から次にオフ状態に切り替わる前に以外のタイミングで、トランジスター１１５がオフ状態に切り替わってもよい。
【００４１】
上述の実施形態では、トランジスター１１３がオン状態であるときに、トランジスター（１１５）がオフ状態からオン状態に切り替わる例を説明した。この構成によれば、トランジスター１１３がオン状態に切り替わったときの電荷再配分による電圧変動の影響を低減することができる。しかし、トランジスター１１５がオン状態に切り替わるタイミングはこれに限定されない。トランジスター１１３がオフ状態であるときに、トランジスター１１５がオフ状態に切り替わってもよい。
【００４２】
上述の実施形態では、電気光学装置１が、複数（ｍ行ｎ列）の画素の各々に対応する複数（ｍ行ｎ列）の画素回路１１を有する例を説明した。複数の画素回路において、信号ＳＡＬＬにより、一斉に液晶ＬＣにデータが書き込まれた。しかし、複数の画素に対して一斉に（同時に）液晶ＬＣにデータが書き込まれなくてもよい。この場合、複数の画素回路１１は、第１ブロックおよび第２ブロックを含む複数のブロックに区分される。第１ブロックの画素回路１１においてトランジスター１１３がオン状態になるタイミングと、第２ブロックの画素回路１１においてトランジスター１１３がオン状態になるタイミングとは異なる。ブロックは、例えば、複数行の画素により構成される。すべての画素に対して一斉にデータを書き込むと、共通電位ＶＣＯＭにノイズが乗ってしまう場合がある。この変形例によれば、ノイズを低減することができる。
【００４３】
上述の実施形態では、１単位のデータの書き込み（すなわちあるフィールドで表示されるデータの書き込み）に際し、トランジスター１１１がオン状態からオフ状態に切り替わる時およびトランジスター１１３がオフ状態からオン状態に切り替わる時を含む期間において、トランジスター１１５が継続してオフ状態である例を説明した。例えば、上述の実施形態では、信号ＳＨＺは、信号ＧＬがオフ状態に切り替わる時刻ｔ１３および信号ＳＡＬＬがオン状態に切り替わる時刻ｔ１４を含む期間（時刻ｔ１２から時刻ｔ１５までの期間）、継続してオン状態であった。この構成によれば、トランジスター１１５の１回のオフオンで、プッシュダウン効果および電荷再配分の影響を蓄積できる。しかし、トランジスター１１５は、上記の期間において継続してオフ状態でなくてもよい。例えば、トランジスター１１５は、上記の期間のいずれかの時点において、一度オン状態になった後で再びオフ状態に切り替わってもよい。
【００４４】
図６は、変形例に係る画素回路１１の構成を示す図である。図６の画素回路１１は、図４の構成に加えて、トランジスター１１７、トランジスター１１８、信号線ｄｉｓ、および信号線／ｐｒｅを有する。信号線ｄｉｓは、＋フィールドにおいて、液晶ＬＣに書き込まれているデータをリセットするタイミングを示す信号を供給する信号線である（第３信号線の一例）。信号線／ｐｒｅは、−フィールドにおいて、液晶ＬＣに書き込まれているデータをリセットするタイミングを示す信号を供給する信号線である（第４信号線の一例）。トランジスター１１７のゲートは信号線ｄｉｓに、ソースは共通電位線信号線ＶＣＯＭに、ドレインは液晶ＬＣの端子Ｌｉｑに接続されている。トランジスター１１８は、トランジスター１１７と逆の伝導型のチャネルを有する。この例では、トランジスター１１８は、ｐチャネルのトランジスターである。トランジスター１１８のゲートは信号線／ｐｒｅに、ソースは共通電位線信号線ＶＣＯＭに、ドレインは液晶ＬＣの端子Ｌｉｑに接続されている。信号ｄｉｓがＨレベルになると、トランジスター１１７はオン状態に切り替わり、端子Ｌｉｑが共通電位線ＶＣＯＭと短絡される。信号／ｐｒｅはＬアクティブの信号である。信号ｄｉｓがＬレベルになると、トランジスター１１８はオン状態に切り替わり、端子Ｌｉｑが共通電位線ＶＣＯＭと短絡される。
【００４５】
図７は、図６の画素回路１１の動作を示すタイミングチャートである。各＋フィールドに１回、この例では、信号ＳＡＬＬがオフ状態からオン状態に切り替わる直前に、信号ｄｉｓはＨレベルに変化する。同様に、各−フィールドに１回、この例では、信号ＳＡＬＬがオフ状態からオン状態に切り替わる直前に、信号／ｐｒｅはＬレベルに変化する。これにより、端子Ｌｉｑと共通電位線ＶＣＯＭが短絡され、液晶ＬＣにかかる電圧はほぼゼロになる。この例では、＋フィールド用および−フィールド用の各々に対し異なる伝導型のチャネルのトランジスターを用いており、トランジスターの耐圧を超えることはない。なお、信号ｄｉｓがオンになるタイミングは図７に例示したものに限定されない。また、変形例の画素回路１１は、トランジスター１１７およびトランジスター１１８のうちいずれか一方だけを有していてもよい。例えば、画素回路１１がトランジスター１１７のみを有している場合、信号ｄｉｓは、各フィールドで１回ずつＨレベルになる。
【００４６】
図８は、別の変形例に係るプロジェクター２１００を例示する図である。プロジェクター２１００は、電気光学装置１を用いた電子機器の一例である。プロジェクター２１００において、液晶パネル１０がライトバルブとして用いられている。
この図に示されるように、プロジェクター２１００の内部には、ハロゲンランプ等の白色光源を有するランプユニット２１０２が設けられている。ランプユニット２１０２から射出された投射光は、内部に配置された３枚のミラー２１０６および２枚のダイクロイックミラー２１０８によってＲ（赤）色、Ｇ（緑）色、Ｂ（青）色の３原色に分離される。分離された投射光は、各原色に対応するライトバルブ１００Ｒ、１００Ｇおよび１００Ｂにそれぞれ導かれる。なお、Ｂ色の光は、他のＲ色やＧ色と比較すると光路が長いので、その損失を防ぐために、入射レンズ２１２２、リレーレンズ２１２３および出射レンズ２１２４を有するリレーレンズ系２１２１を介して導かれる。
【００４７】
プロジェクター２１００において、液晶パネル１０を含む液晶表示装置が、Ｒ色、Ｇ色、Ｂ色のそれぞれに対応して３組設けられている。ライトバルブ１００Ｒ、１００Ｇおよび１００Ｂの構成は、上述した液晶パネル１０と同様である。Ｒ色、Ｇ色、Ｂ色のそれぞれの原色成分の階調レベルを指定するに映像信号がそれぞれ外部上位回路から供給されて、ライトバルブ１００Ｒ、１００Ｇおよび１００Ｂがそれぞれ駆動される。ライトバルブ１００Ｒ、１００Ｇ、１００Ｂによってそれぞれ変調された光は、ダイクロイックプリズム２１１２に３方向から入射する。そして、ダイクロイックプリズム２１１２において、Ｒ色およびＢ色の光は９０度に屈折し、Ｇ色の光は直進する。したがって、各原色の画像が合成された後、スクリーン２１２０には、投射レンズ群２１１４によってカラー画像が投射される。
【００４８】
なお、ライトバルブ１００Ｒ、１００Ｇおよび１００Ｂには、ダイクロイックミラー２１０８によって、Ｒ色、Ｇ色、Ｂ色のそれぞれに対応する光が入射するので、カラーフィルタを設ける必要はない。また、ライトバルブ１００Ｒ、１００Ｂの透過像は、ダイクロイックプリズム２１１２により反射した後に投射されるのに対し、ライトバルブ１００Ｇの透過像はそのまま投射される。したがって、ライトバルブ１００Ｒ、１００Ｂによる水平走査方向は、ライトバルブ１００Ｇによる水平走査方向と逆向きにして、左右を反転させた像を表示する構成となっている。また、図８では、電気光学装置１を透過型のプロジェクターに用いた例を示したが、電気光学装置１は反射型のプロジェクターに用いられてもよい。
【００４９】
電気光学装置１が用いられる電子機器としては、図８に例示したプロジェクターの他にも、テレビジョンや、ビューファインダー型・モニタ直視型のビデオテープレコーダー、カーナビゲーション装置、ページャー、電子手帳、電卓、ワードプロセッサー、ワークステーション、テレビ電話、ＰＯＳ端末、デジタルスチルカメラ、携帯電話機、タッチパネルを備えた機器等などが挙げられる。
【００５０】
電気光学装置１の構成は図１で例示されたものに限定されない。図１の制御回路２０は機能ごとに複数の回路に分割されてもよい。また、液晶パネル１０の構成、特に画素の配置は図２で例示したものに限定されない。２次元的に配置された画素を有するものであれば、どのような構成であってもよい。さらに、電気光学素子は液晶素子に限定されない。有機ＥＬ（Electro Luminescence）素子等、液晶素子以外の電気光学素子が用いられてもよい。また、画素回路１１において用いられるトランジスターは、ｎチャネル型のものに限定されない。ｐチャネル型のトランジスターが用いられてもよい。また、液晶ＬＣへのデータの書き込みは、＋フィールドおよび−フィールドに区分されていなくてもよい。すなわち、液晶ＬＣに同じ極性の電圧が印加され続ける構成が用いられてもよい。
【符号の説明】
【００５１】
１…電気光学装置、１０…液晶パネル、１１…画素回路、１２…走査線駆動回路、１３…データ線書き込み回路、１４…面順次選択回路、１５…ＶＣＯＭ供給回路、２０…制御回路、１００…ライトバルブ、１１１…トランジスター、１１３…トランジスター、１１５…トランジスター、１１７…トランジスター、１１８…トランジスター、２１００…プロジェクター、２１０２…ランプユニット、２１０６…ミラー、２１０８…ダイクロイックミラー、２１１２…ダイクロイックプリズム、２１１４…投射レンズ群、２１２０…スクリーン、２１２１…リレーレンズ系、２１２２…入射レンズ、２１２３…リレーレンズ、２１２４…出射レンズ、ＧＬ…走査線、ＤＬ…データ線、ＶＣＯＭ…共通電位線、ｄｉｓ…信号線、／ｐｒｅ…信号線、ＳＡＬＬ…信号線、ＳＨＺ…信号線、ＬＣ…液晶素子、Ｃ…保持容量
【図１】
2012058335.tif 000003
【図２】
2012058335.tif 000004
【図３】
2012058335.tif 000005
【図４】
2012058335.tif 000006
【図５】
2012058335.tif 000007
【図６】
2012058335.tif 000008
【図７】
2012058335.tif 000009
【図８】
2012058335.tif 000010